(57)【要約】【課題】少ない部品点数で、高精度な記録位相調整を行うことが可能で、かつレコーダヘッドの交換の容易なレコーダヘッド調整機構を実現すること。【解決手段】複数の記録素子が配置されたレコーダヘッドの記録位相を調整するレコーダヘッド調整機構であって、レコーダヘッドが着脱可能に取り付けられる取り付け部材と、取り付け部材を支持する支持部材とを有し、取り付け部材には、取り付け部材の所定部位に対する長さが可変な第１及び第２の調整手段が設けられ、支持部材は、第１及び第２の調整手段を支持することにより、取り付け部材を支持することを特徴とする。【選択図】  図１
2004166816.tif 000002
【特許請求の範囲】
【請求項１】
複数の記録素子が配置されたレコーダヘッドの記録位相を調整するレコーダヘッド調整機構であって、
前記レコーダヘッドが着脱可能に取り付けられる取り付け部材と、
前記取り付け部材を支持する支持部材とを有し、
前記取り付け部材には、前記取り付け部材の所定部位に対する長さが可変な第１及び第２の調整手段が設けられ、
前記支持部材は、前記第１及び第２の調整手段を支持することにより、前記取り付け部材を支持することを特徴とするレコーダヘッド調整機構。
【請求項２】
前記第１及び第２の調整手段には突起が設けられ、前記支持部材は前記突起に対応する切り欠きによって前記突起を支持することで前記取り付け部材を支持することを特徴とする請求項１記載のレコーダヘッド調整機構。
【請求項３】
前記取り付け部材の前記所定部位がねじ穴を有し、前記第１及び第２の調整手段が前記ねじ穴に対応するねじであることを特徴とする請求項１又は請求項２記載のレコーダヘッド調整機構。
【請求項４】
前記支持部材を前記レコーダヘッドに向かって押圧する押圧手段を更に有することを特徴とする請求項１乃至請求項３のいずれか１項に記載のレコーダヘッド調整機構。
【発明の詳細な説明】
【０００１】
【発明の属する技術分野】
本発明はレコーダヘッド調整機構に関し、特に心電計に使用されるレコーダのような、記録位相の調整が必要なレコーダヘッドの調整機構に関する。
【０００２】
【従来の技術】
一般に、心電計には、測定した心電波形を記録紙に印刷するためのレコーダが設けられている。レコーダは通常記録素子（例えば、発熱素子）が記録紙の記録幅全体に渡って多数配置されたレコーダヘッドによって記録紙への印刷を行う。このようなレコーダヘッドを用いることにより、ヘッドを移動させる必要がないため、レコーダの小型化と、測定時におけるリアルタイム印字を実現している。その反面、ヘッドの幅（記録素子の配置されている部分の幅）が広いため、記録抜けや記録濃度のむらをなくすためには、多数の印字素子全てが記録紙に対して正しい距離（サーマルヘッドであれば接触状態）を維持する必要がある。
【０００３】
また、心電計のレコーダに特有な問題として、記録位相合わせがある。すなわち、心電計を用いて測定される波形は、一般には、いくつかの誘導方法により誘導された複数個の波形であり、従ってレコーダもこれら複数の波形を並行して記録することになる。例えば上下に並べて複数の波形を同時に記録する場合、これら複数の波形の時間軸に対する位相が全て揃っていなければ、計測された心電図も心臓病の診断には役に立たないことは、明らかである。
【０００４】
そのため、一般に心電計のレコーダには、これらの要求を満たすような位置にレコーダヘッドを取り付けるため、取り付け位置を微調整するための調整機構が設けられている。さらに、消耗品であるレコーダヘッドの交換を容易にするための工夫も提案されている。
【０００５】
例えば特許文献１では、感熱式のレコーダヘッドと、レコーダヘッドを用紙に適切に接触させるための荷重を加える荷重板とを、共通の調整棒に取り付けるとともに、調整棒の両端に設けたねじにより調整棒の左右の高さを調整可能とすることで、記録位相の調整を行うレコーダヘッド調整機構組立体が開示されている。特許文献１のレコーダヘッド調整機構組立体は、レコーダヘッドと加重板とを調整棒で一体化した構成としたことにより、レコーダヘッドの組み込み（又は交換）を容易にしている。
【０００６】
【特許文献１】
特許第３０１６０１０号公報
【０００７】
【発明が解決しようとする課題】
しかしながら、特許文献１記載の技術においては、レコーダヘッドを固定する取付板の両端部を折り曲げ、調整棒を指示する構成を有するため、調整棒の動きが間接的にレコーダヘッドを移動させることになる。そのため、調整の精度を高めるためには調整棒と取付板には高い寸法精度が要求され、製造コストや歩留まりの点で不利である。さらに、製造時の機械的な誤差を排除することはできないため、部品の寸法精度には限界があり、調整の精度もこの寸法精度に依存していた。
【０００８】
本発明はこのような従来技術の問題点に鑑みなされたものであり、その目的は、レコーダヘッドの交換が容易で、かつ高精度な位置調整が可能なレコーダヘッド調整機構を提供することにある。
【０００９】
【課題を解決する手段】
すなわち、本発明の要旨は、複数の記録素子が配置されたレコーダヘッドの記録位相を調整するレコーダヘッド調整機構であって、レコーダヘッドが着脱可能に取り付けられる取り付け部材と、取り付け部材を支持する支持部材とを有し、取り付け部材には、取り付け部材の所定部位に対する長さが可変な第１及び第２の調整手段が設けられ、支持部材は、第１及び第２の調整手段を支持することにより、取り付け部材を支持することを特徴とするレコーダヘッド調整機構に存する。
【００１０】
【発明の実施の形態】
以下、図面を参照して本発明をその好適な実施形態に基づき説明する。
図１は、本発明の実施形態に係るレコーダヘッド調整機構を適用したレコーダヘッド調整組立体の構成例を示す分解斜視図である。
【００１１】
図に示すように、レコーダヘッド調整組立体１は、レコーダヘッド１０と、レコーダヘッド調整機構を構成する取付板１１及び枠体１２とから構成されている。レコーダヘッド１０の、図１において隠れている面にはその長さ方向に渡って記録素子が配置されており、ケーブル１０３によって記録信号が供給される。なお、本実施形態において、レコーダヘッド１０はサーマルヘッドであるものとする。また、レコーダヘッド１０には、他の部材を取り付けるためのねじ穴１０１Ａ、１０１Ｂ、１０２Ａ、１０２Ｂが設けられている。
【００１２】
レコーダヘッド調整機構を構成する取付板１１は、レコーダヘッドのねじ穴１０１Ａ、１０１Ｂと対応する位置に設けられたねじ穴１１３Ａ、１１３Ｂを有し、ねじ１１５Ａ、１１５Ｂによってレコーダヘッド１０と固定される。また、ねじ穴１１３Ａ、１１３Ｂの内側には、レコーダヘッド１０のねじ穴１０２Ａ、１０２Ｂと対応する位置にねじ穴１１４Ａ、１１４Ｂが設けられる。
【００１３】
取付板１１の両端近傍の下部には、手前に延びる舌状部１１１Ａ、１１１Ｂが設けられている。舌状部１１１Ａ、１１１Ｂには、調整用ねじ１１２Ａ、１１２Ｂのねじに合わせたねじ穴が設けられている。調整用ねじ１１２Ａ、１１２Ｂは、ねじ頭１１２１Ａ、１１２１Ｂと所定間隔をもって配置された台座１１２２Ａ、１１２２Ｂを有しており、下端部分が取付板１１の舌状部１１１Ａ、１１１Ｂのねじ穴に回転可能に取り付けられている。後述するように、調整用ねじ１１２Ａ、１１２Ｂを左右に回すことにより、取付板１１に固定されたレコーダヘッドの記録位相調整を行うことができる。なお、必要に応じて、調整用ねじ１１２にゆるみ止めを塗布したり、防止舌状部１１１に設けられるねじ穴の径を調整用ねじ１１２の径よりも若干小さめとする等、不用意に調整用ねじ１１２が回転することを防止するための対策を講じても良い。
【００１４】
レコーダヘッド調整機構を構成する枠体１２は、ねじ１１５Ａ、１１５Ｂで固定された状態のレコーダヘッド１０と取付板１１（以後、この組立体をヘッドユニットと言うことがある）とを保持するとともに、後述するバネによる、レコーダヘッド１０の記録素子を記録紙と適切かつ均一な接触させるための押圧力をレコーダヘッド１０に伝達する。
【００１５】
枠体１２は、両端近傍の上部に、手前に延びる舌状部１２１Ａ、１２１Ｂを有する。舌状部１２１Ａ、１２１Ｂには、それぞれ切り欠き１２２Ａ、１２２Ｂが設けられている。取付板１１に取り付けられる調整用ねじ１１２Ａ、１１２Ｂのねじ頭１１２１Ａ、１１２１Ｂと、台座１１２２Ａ、１１２２Ｂの隙間を、舌状部１２１Ａ、１２１Ｂの切り欠き１２２Ａ、１２２Ｂに挿入することによって、、調整用ねじ１１２Ａ、１１２Ｂのねじ頭１１２１Ａ、１１２１Ｂと、台座１１２２Ａ、１１２２Ｂが舌状部１２１Ａ、１２１Ｂの上下を挟み込み、ヘッドユニットが枠体１２で支持される。
【００１６】
また、枠体１２には、ヘッドユニットを装着した際に取付板１１の舌状部１１１Ａ、１１１Ｂが入る穴１２３Ａ、１２３Ｂが設けられている。
【００１７】
さらに、枠体１２には、ねじ１２７Ａ、１２７Ｂによって、ヘッドユニットを枠体１２に固定するためのねじ穴１２４Ａ、１２４Ｂが設けられている。調整用ねじ１１２Ａ、１１２Ｂを用いた記録位相調整により、枠体１２とヘッドユニットとの相対的な位置は変動するため、ねじ穴１２４Ａ、１２４Ｂの形状は真円ではなく、縦長円形状となっている。
【００１８】
取付部１２５及びそれに設けられた穴１２６、及びストッパー１２８は、枠体１２を後述する外枠に取り付けるために設けられている。
【００１９】
図２に、図１において、レコーダヘッド１０と取付板１１をねじ１１５Ａ、１１５Ｂで固定した状態を示す。また、図３に、図２の状態からヘッドユニットを枠体１２に取り付けた状態を示す。
【００２０】
図３の状態で、調整用ねじ１１２Ａ、１１２Ｂを右に回すと枠体１２に対するヘッドユニットの相対位置が下がり、左に回すと上がる。もちろんねじの回転方向と移動方向が逆であっても良い。左右の調整用ねじ１１２Ａ、１１２Ｂを独立して調整することにより、レコーダヘッド１０を左右に傾斜させることが可能であり、それによって記録位相が合うように調整することが可能である。
【００２１】
図４（ａ）は本実施形態に係るレコーダヘッド調整組立体１の構成を示す長手方向の側断面図、図４（ｂ）は、特許文献１に記載のレコーダヘッド調整組立体の対応する側断面図である。
【００２２】
従来構成の調整組立体は、調整棒４４を調整用ねじ１１２’で上下させることで、取付板１１’の支持部１１１’を枠体４３に対して移動させる構造を有している。この構造は、調整用ねじ１１２’の回転による調整棒４４の移動量が間接的にレコーダヘッド１０に伝達されるため、調整用ねじ１１２’の移動量をレコードヘッド１０に伝達するための調整棒４４と支持体１１１’に高い寸法精度が要求される。
【００２３】
それに対し、本願発明による調整機構は、調整用ねじ１１２の回転により、直接取付板１１の支持部１１１を移動させる構成を有するため、少ない部品点数で精度の良い調整が可能である。本願発明に係る構成において、調整用ねじ１１２のねじ頭１１２１と台座１１２２の間隔と、枠体１２の舌状部１２１の厚さとの差はあまり大きくない方が好ましいが、調整用ねじ１１２により、取付板１１の支持部１１１を直接移動させる構造のため、この部分は大きながたつきが無い程度の精度で十分である。
【００２４】
また、調整用ねじ１１２が取付板１１に取り付けられており、調整用ねじ１１２を回さない限り枠体１２と取付板１１との相対的な位置関係は変わらないため、レコーダヘッド１０の交換時には、単にねじ１１５を外して古いレコーダヘッドを取り、新しいレコーダヘッドを再度ねじ１１５により取付板１１に取付さえすれば、再度調整を行わなくても前回調整時の位置に新しいレコーダヘッド１０を取り付けることができる。
【００２５】
図５は、本実施形態に係るレコーダヘッド調整組立体１と、組立体１を心電計の筐体に取り付けるための外枠１３との組立構造を説明する分解斜視図である。レコーダヘッド調整組立体１は、枠体１２を外枠１３に取り付けることによって外枠１３内に取り付けられる。枠体１２は、外枠１３に設けられた一対の取付部１３３の穴１３４で支持される、組み立て式の軸１３１Ａ、１３１Ｂを取付部１２５に設けられた穴１２６に通すことによって外枠１３に取り付けられる。
【００２６】
この際、枠体１２の取付部１２５の他に、ねじりコイルバネ１３２も合わせて軸１３１Ａ、１３１Ｂによって取り付ける。ねじりコイルバネ１３２は外枠１３の内面に対し、枠体１２の取付部１２５が設けられた面を、軸１３１を中心として、軸１３１Ａから１３１Ｂに向かって時計回り方向に回転させる力を枠体１２に与える。これにより、枠体１２に取り付けられたヘッドユニットが図示しないプラテンローラ方向に押圧され、レコーダヘッド１０の全ての記録素子が均等かつ適切な圧力で記録紙に接する状態を作り出すことができる。
【００２７】
なお、枠体１２が軸１３１周りに回転可能な範囲は、時計回りの方向については外枠１３外面に取り付けられる板１３５と枠体１２のストッパー１２８によって制限されている。詳細には、時計回りの方向については、板１３５の下端を枠体１２側に折り曲げて形成された係止部１３５１により、枠体１２のストッパー１２８が係止部１３５１を越えて回転移動することを制限している。
【００２８】
また、外枠１３には、外枠１３を筐体に固定するための取付部１３７Ａ、１３７Ｂが設けられている。外枠１３に枠体１２が取り付けられた状態で、ヘッドユニットを交換する場合、外枠１３に設けられた穴１３６Ａ、１３６Ｂを介して、枠体１２とヘッドユニットを固定するねじ１２７Ａ、１２７Ｂを外せば、ヘッドユニットだけを取り外すことができる。そして、ねじ１１５Ａ、１１５Ｂを外してレコーダヘッド１０を交換し、再度ねじ１１５Ａ、１１５Ｂで取付板１１に取り付けた後、調整用ねじ１１２を枠体１２の支持部１２１に挿入し、外枠１３の穴１３６Ａ、１３６Ｂを介してねじ１２７Ａ、１２７Ｂを締めればよい。
外枠１３には、図示しないプラテンローラを駆動するためのモータ１３９やギア１４０が更に取り付けられる。
【００２９】
図５の各部品を組み立てた後、用紙を搬送するために必要な他の機構部品と最終的に組み合わせ、レコーダを構成する。図６は、レコーダの分解斜視図であり、中央の組立体が図５の各部品を組み立てたものである。図６に示すように、本実施形態においては、ペーパーカッター１５を外枠１３の上面にねじ付けした後、プラテン部２０と用紙搬送部３０と組み合わせてレコーダを形成する。組上がった状態を図７に示す。
【００３０】
記録位相調整は、例えば図７に示すレコーダを図示しない心電計に取り付け、ペーパーカッター１５を取り外した状態で、テストパターン等の印字と、調整用ねじ１１２Ａ、１１２Ｂによる調整を繰り返しながら行う。そして、位相調整が完了したら、ペーパーカッター１５を取り付ける。なお、ペーパーカッター１５は外枠１３に取り付けずに、心電計の筐体の一部として形成しても良い。
【００３１】
また、レコーダヘッド１０の交換を行う場合、図６の状態まで分解し、外枠１３の穴１３６Ａ、１３６Ｂを介して枠体１２のねじ１２７Ａ、１２７Ｂを取り外し、上述のようにレコーダヘッド１０を交換し、再度枠体１２に取り付ければよい。
【００３２】
【他の実施形態】
上述の実施形態においては、レコーダヘッド１０（の全ての記録素子）が記録紙に対して適切に接触した状態を維持させるために、枠体１２を外枠１３に取り付ける軸に取り付けたねじりコイルバネ１３２で枠体を付勢した構成を説明した。しかし、本発明はこのような構成に限定されるものではなく、ねじりコイルバネ以外のバネはもちろん、他の弾性体を用いたり、他の構成を用いてレコーダヘッド１０（の全ての記録素子）が記録紙に対して適切に接触した状態を維持させるように構成しても良い。
【００３３】
また、上述の実施形態においては、レコーダヘッドとして、サーマルヘッドを用いた場合のみを説明したが、本発明に係る調整機構は記録位相を調整する必要のある記録ヘッドであれば、インクジェット記録方式等他の任意の記録形式の記録ヘッドに適用可能であることは言うまでもない。
【００３４】
また、取付板１１の長さは必ずしもレコーダヘッド１０の長さ（記録幅方向）を考慮して決める必要はない。すなわち、レコーダヘッド１０よりも長くしても、短くしても良い。同様に、取付板１１において調整用ねじ１１２を取り付ける位置（舌状部１１１の位置）も、取付板１１の両端部に無くても良い。すなわち、図に示す位置よりも内側に設けても良い。
【００３５】
ただし、調整用ねじ１１２Ａと１１２Ｂの間隔が小さくなりすぎると微調整がしにくくなる場合があるため、調整用ねじのねじ山の間隔等を考慮して取り付け位置を決定すればよい。支持部１２１との厚みとの関係ねじ山の間隔が同一であれば、一対の調整用ねじがレコーダヘッド１０の記録幅方向において離間すればするほど、調整用ねじの回転量に対する調整量（移動量）が小さくなる。
【００３６】
また、位相調整を行う手段として、ねじを用いる場合のみを説明したが、取付板１１に対して十分な精度で変位の量を調整可能な任意の手段を用いることが可能であることは言うまでもない。すなわち、本発明の本質は、レコーダヘッドを取り付ける部材を直接変位させる機構を取り付け、この機構自体を別の部材で支持する構成にあり、調整用ねじの、支持部で支持される部分が例えば舌状部１１１の下部やねじの中間など、他の位置に設けられていても構わない。例えば、実施形態におけるねじ頭と台座に相当する構成が、舌状部の下部に存在し、ねじを回転させるためのねじ頭は別途存在するような構成であっても構わない。
【００３７】
【発明の効果】
以上説明したように、本発明によれば、少ない部品点数で、高精度な記録位相調整を行うことが可能で、かつレコーダヘッドの交換の容易なレコーダヘッド調整機構を実現することができる。
【図面の簡単な説明】
【図１】本発明に係るレコーダヘッド調整機構を適用したレコーダヘッド調整組立体の構成例を示す分解斜視図である。
【図２】図１におけるレコーダヘッド１０と取付板１１を組み立てた状態を示す斜視図である。
【図３】図２におけるヘッドユニットと枠体１２を組み立てた状態を示す斜視図である。
【図４】（ａ）は本実施形態に係るレコーダヘッド調整組立体の側断面図、（ｂ）は従来のレコーダヘッド調整組立体の側断面図である。
【図５】本実施形態に係るレコーダヘッド調整組立体１と、組立体１を心電計の筐体に取り付けるための外枠１３との組立構造を説明する分解斜視図である。
【図６】本実施形態に係るレコーダヘッド調整組立体を用いたレコーダの分解斜視図である。
【図７】図６の各部品を組み立てた状態を示す斜視図である。
【図１】
2004166816.tif 000003
【図２】
2004166816.tif 000004
【図３】
2004166816.tif 000005
【図４】
2004166816.tif 000006
【図５】
2004166816.tif 000007
【図６】
2004166816.tif 000008
【図７】
2004166816.tif 000009